(57)【要約】【課題】小型化することでヘアをカットする操作がしやすくなるヘアカッターを提供する。【解決手段】櫛歯状の固定刃２９に対向する櫛歯状の可動刃３０を振動型リニアアクチュエータ１３で往復振動させるヘアカッター１０Ａであって、可動刃３０を往復振動Ｆの方向に共振させるためのバネ部材３１を可動刃３０と固定刃２９とに連結固定することで、バネ部材３１を振動型リニアアクチュエータ１３の可動子１８と本体ハウジング１１との間に横向きで配置する必要が無くなるので、本体ハウジング１１をどの方向からでも握りやすいように、例えば略円筒形断面とすることができ、本体ハウジング１１を小型化できるので、ヘアをカットする操作がしやすくなる。【選択図】図１
2007190312.tif 000002
【特許請求の範囲】
【請求項１】
櫛歯状の固定刃に対向する櫛歯状の可動刃を振動型リニアアクチュエータで往復振動させるヘアカッターであって、
前記可動刃を往復振動の方向に共振させるためのバネ部材は、可動刃と固定刃とに連結固定していることを特徴とするヘアカッター。
【請求項２】
前記バネ部材は、可動刃を固定刃に押し付ける押し付け用バネを兼ねていることを特徴とする請求項１に記載のヘアカッター。
【請求項３】
複数枚の櫛歯状の可動刃を対向させ、隣り合う可動刃を振動型リニアアクチュエータで逆位相により往復振動させるヘアカッターであって、
前記可動刃同士を互いに押し付けるためのバネ部材は、可動刃同士に連結固定するとともに、前記バネ部材は、可動刃を往復振動の方向に共振させるための共振用バネを兼ねていることを特徴とするヘアカッター。
【発明の詳細な説明】
【技術分野】
【０００１】
本発明は、振動型リニアアクチュエータを備えたヘアカッターに関する。
【背景技術】
【０００２】
従来、振動型リニアアクチュエータ（リニアモータ）を備えたヘアカッターがある（特許文献１参照）。
【０００３】
このヘアカッターでは、櫛歯状の固定刃に対向する櫛歯状の可動刃を振動型リニアアクチュエータで往復振動させるようになっている。
【０００４】
ところで、図６および図７に示すように、ヘアカッター１に振動型リニアアクチュエータ２を採用して、櫛歯状の可動刃３を櫛歯状の固定刃４に押し付け用バネ部材５で押し付けた状態で、可動刃３を振動型リニアアクチュエータ２で往復振動Ｆさせるようにすることが考えられる。なお、振動型リニアアクチュエータ２等の構成については、後述する〔発明を実施するための最良の形態〕の項で詳細に説明する。
【特許文献１】特開２００５−１８５０６７号公報
【発明の開示】
【発明が解決しようとする課題】
【０００５】
しかしながら、背景技術では、可動刃３を往復振動Ｆの方向に共振（移動）させるための共振用バネ部材７は、振動型リニアアクチュエータ２の可動子８と本体ハウジング９との間に横向きで配置しているから、本体ハウジング９の手で握る部分は、図７のように、厚みＴが薄くて幅Ｗが広い略長方形断面となるので、手で握る方向が制限されて、ヘアをカットする操作がしにくくなるという問題があった。
【０００６】
本発明は、前記問題を解消するためになされたもので、小型化することでヘアをカットする操作がしやすくなるヘアカッターを提供することを目的とするものである。
【課題を解決するための手段】
【０００７】
前記課題を解決するために、本発明の第１の手段は、櫛歯状の固定刃に対向する櫛歯状の可動刃を振動型リニアアクチュエータで往復振動させるヘアカッターであって、前記可動刃を往復振動の方向に共振させるためのバネ部材は、可動刃と固定刃とに連結固定していることを特徴とするヘアカッターを提供するものである。
【０００８】
切れ味が良好になるとともに、部品点数が削減できるようにするために、前記バネ部材は、可動刃を固定刃に押し付ける押し付け用バネを兼ねている構成とすることができる。
【０００９】
本発明の第２の手段は、複数枚の櫛歯状の可動刃を対向させ、隣り合う可動刃を振動型リニアアクチュエータで逆位相により往復振動させるヘアカッターであって、前記可動刃同士を互いに押し付けるためのバネ部材は、可動刃同士に連結固定するとともに、前記バネ部材は、可動刃を往復振動の方向に共振させるための共振用バネを兼ねていることを特徴とするヘアカッターを提供するものである。
【発明の効果】
【００１０】
本発明の第１の手段によれば、可動刃を往復振動の方向に共振させるためのバネ部材を可動刃と固定刃とに連結固定したから、背景技術のように、バネ部材を振動型リニアアクチュエータの可動子と本体ハウジングとの間に横向きで配置する必要が無くなるので、本体ハウジングをどの方向からでも握りやすいように、例えば略円筒形断面とすることができ、本体ハウジングを小型化できるので、ヘアをカットする操作がしやすくなる。
【００１１】
また、バネ部材が可動刃を固定刃に押し付けるバネを兼ねているから、可動刃が固定刃に密着して切れ味が良好になるとともに、部品点数が削減できるようになる。
【００１２】
本発明の第２の手段によれば、複数枚の可動刃同士を互いに押し付けるためのバネ部材を可動刃同士に連結固定するとともに、バネ部材が可動刃を往復振動の方向に共振させるための共振用バネを兼ねているから、背景技術のように、バネ部材を振動型リニアアクチュエータの可動子と本体ハウジングとの間に横向きで配置する必要が無くなるので、本体ハウジングをどの方向からでも握りやすいように、例えば略円筒形断面とすることができ、本体ハウジングを小型化できるので、ヘアをカットする操作がしやすくなるとともに、バネ部材で可動刃同士が密着して切れ味が良好になる。
【００１３】
また、バネ部材が可動刃を往復振動の方向に共振させるための共振用バネを兼ねているから、部品点数が削減できるようになる。
【００１４】
さらに、隣り合う可動刃を逆位相により往復振動させるために、振動を低減することができる。
【発明を実施するための最良の形態】
【００１５】
以下、本発明を実施するための最良の形態について、図面を参照しながら詳細に説明する。
【００１６】
図１〜図３に示すように、第１実施形態のヘアカッター１０Ａは、前ハウジング１１Ａと後ハウジング１１Ｂとを合体させてなる略円筒状の本体ハウジング１１を備えている。
【００１７】
この本体ハウジング１１内の上部には、振動型リニアアクチュエータ１３のステータコアブロック１４が格納されるとともに、下部には、電源用の乾電池１５と振動型リニアアクチュエータ１３の運動を制御する制御回路１６とが格納されている。
【００１８】
振動型リニアアクチュエータ１３には、可動子１８とステータコアブロック（固定子）１４と保持部材１９とが設けられている。
【００１９】
可動子１８は、磁性材料であるヨーク２０と、ヨーク２０の上面に立設された駆動軸２１と、ヨーク２０の下面に接着された永久磁石２２とで構成されている。
【００２０】
ステータコアブロック１４は、磁性材料の焼結体や磁性材料の鉄板を積層したステータ２３に絶縁物２４を介して絶縁した状態で巻き線（電線）２５を施した電磁石で構成されていて、前後のハウジング１１Ａ，１１Ｂの間で固定されている。
【００２１】
左右一対の保持部材１９は、ステータコアブロック１４に対して可動子１８を保持して、可動子１８の永久磁石２２をステータコアブロック１４に対して非接触状態で、ギャップ２６〔図２（ａ）参照〕を隔てて面対向させるとともに、その撓み方向に可動子１８を往復振動Ｆさせるためのものである。
【００２２】
そして、ステータコアブロック１４である電磁石の電流方向を交番にすることで、永久磁石２２とともに可動子１８が往復振動Ｆするようになる。
【００２３】
刃ブロック２８は、櫛歯状の固定刃２９および可動刃３０とバネ部材３１とで構成されていて、固定刃２９は、後ハウジング１１Ｂの上端部に斜め向きで固定されている。
【００２４】
左右一対のバネ部材３１は、コイルバネ製であり、可動刃３０のカップリング用凹部３０ａの外壁と固定刃２９の突起部２９ａの内壁との間に、カップリング用凹部３０ａ側が上で、突起部２９ａ側が下となる斜め向きに縮装されることで、可動刃３０と固定刃２９とに連結固定している。
【００２５】
このバネ部材３１は、可動刃３０を固定刃２９に押し付けるとともに、可動刃３０を往復振動Ｆの方向に移動可能に保持するようになる。つまり、バネ部材３１は、可動刃３０を固定刃２９に押し付ける押し付け用バネと、可動刃３０（正確には、可動刃３０と可動子１８を含む可動ブロック３３）を往復振動Ｆの方向に共振（移動）させるための共振用バネとを兼ねている。
【００２６】
可動刃３０にはカップリング用凹部３０ａが形成され、このカップリング用凹部３０ａに、可動子１８の駆動軸２１が嵌り込むようになる。したがって、可動子１８が往復振動Ｆされると、可動子１８とともに可動刃３０も往復振動Ｆされることで、固定刃２９との間でヘア（毛）をカットできるようになる。
【００２７】
第１実施形態のヘアカッター１０Ａでは、可動刃３０を往復振動Ｆの方向に共振させるためのバネ部材３１を可動刃３０と固定刃２９とに連結固定したから、背景技術のように、バネ部材３１を振動型リニアアクチュエータ１３の可動子１８と本体ハウジング１１との間に横向きで配置する必要が無くなるので、本体ハウジング１１をどの方向からでも握りやすいように、例えば図３のような略円筒形断面とすることができ、本体ハウジング１１を小型化できるので、ヘアをカットする操作がしやすくなる。
【００２８】
また、バネ部材３１が可動刃３０を固定刃２９に押し付けるバネを兼ねているから、可動刃３０が固定刃２９に密着して切れ味が良好になるとともに、部品点数が削減できるようになる。
【００２９】
図４および図５は、第２実施形態のヘアカッター１０Ｂであり、第１実施形態のヘアカッター１０Ａと相違するのは、複数枚（本例では２枚）の可動刃３０Ａ，３０Ｂを対向させ、隣り合う可動刃３０Ａ，３０Ｂを振動型リニアアクチュエータ１３で逆位相により往復振動Ｆさせる点である。
【００３０】
ステータコアブロック１４に対して、前ハウジング１１Ａ側と後ハウジング１１Ｂ側とに、ヨーク２０Ａ，２０Ｂと、駆動軸２１Ａ，２１Ｂと、永久磁石２２Ａ，２１Ｂとで構成された可動子１８Ａ，１８Ｂがそれぞれ設けられるとともに、ステータコアブロック１４に対して可動子１８Ａ，１８Ｂを保持して、永久磁石２２Ａ，２２Ｂをステータコアブロック１４に対して非接触状態で、ギャップ２６Ａ，２６Ｂを隔てて面対向させる保持部材１９Ａ，１９Ｂがそれぞれ設けられている。
【００３１】
刃ブロック２８は、可動刃３０Ａ，３０Ｂとバネ部材３１Ａ，３１Ｂとで構成されている。
【００３２】
左右一対のバネ部材３１Ａ，３１Ｂは、ワイヤーバネ製であり、各バネ部材３１Ａ，３１Ｂの一端部は、可動刃３０Ａの外面にそれぞれ連結固定されるとともに、他端部は、可動刃３０Ｂの外面にそれぞれ連結固定されている。
【００３３】
このバネ部材３１Ａ，３１Ｂは、可動刃３０Ａ，３０Ｂ同士を互いに押し付けるとともに、可動刃３０Ａ，３０Ｂを往復振動Ｆの方向に移動可能に保持するようになる。つまり、バネ部材３１Ａ，３１Ｂは、可動刃３０Ａ，３０Ｂ同士を互いに押し付ける押し付け用バネと、可動刃３０Ａ，３０Ｂ（可動ブロック３３Ａ，３３Ｂ）を往復振動Ｆの方向に共振（移動）させるための共振用バネとを兼ねている。
【００３４】
可動刃３０Ａ，３０Ｂにはカップリング用凹部３０ａがそれぞれ形成され、この各カップリング用凹部３０ａに、可動子１８Ａ，１８Ｂの駆動軸２１Ａ，２１Ｂがそれぞれ嵌り込むようになる。したがって、可動子１８Ａ，１８Ｂが往復振動Ｆされると、可動子１８Ａ，１８Ｂとともに可動刃３０Ａ，３０Ｂも往復振動Ｆされるようになる。ここで、可動子１８Ａ，１８Ｂの永久磁石２２Ａ，２２Ｂの極性を互いに逆とすることで、可動子１８Ａ，１８Ｂ、つまり可動刃３０Ａ，３０Ｂは、１８０度位相がずれた逆位相により往復振動Ｆされることで、可動刃３０Ａ，３０Ｂの間でヘア（毛）をカットできるようになる。
【００３５】
第２実施形態のヘアカッター１０Ｂでは、複数枚の可動刃３０Ａ，３０Ｂ同士を互いに押し付けるためのバネ部材３１Ａ，３１Ｂを可動刃３０Ａ，３０Ｂ同士に連結固定するとともに、バネ部材３１Ａ，３１Ｂが可動刃３０Ａ，３０Ｂを往復振動Ｆの方向に共振させるための共振用バネを兼ねているから、背景技術のように、バネ部材３１Ａ，３１Ｂを振動型リニアアクチュエータ１３の可動子１８Ａ，１８Ｂと本体ハウジング１１との間に横向きで配置する必要が無くなるので、本体ハウジング１１をどの方向からでも握りやすいように、例えば図５（ａ）のような略円筒形断面とすることができ、本体ハウジング１１を小型化できるので、ヘアをカットする操作がしやすくなるとともに、バネ部材３１Ａ，３１Ｂで可動刃３０Ａ，３０Ｂ同士が密着して切れ味が良好になる。
【００３６】
また、バネ部材３１Ａ，３１Ｂが可動刃３０Ａ，３０Ｂを往復振動Ｆの方向に共振させるための共振用バネを兼ねているから、部品点数が削減できるようになる。
【００３７】
さらに、隣り合う可動刃３０Ａ，３０Ｂを逆位相により往復振動Ｆさせるために、振動を低減することができる。
【図面の簡単な説明】
【００３８】
【図１】本発明の第１実施形態に係るヘアカッターの分解斜視図である。
【図２】本発明の第１実施形態に係る振動型リニアアクチュエータと刃ブロックとの組立体であり、（ａ）は正面図、（ｂ）は斜視図である。
【図３】本発明の第１実施形態に係るヘアカッターの横断面図である。
【図４】本発明の第２実施形態に係るヘアカッターの振動型リニアアクチュエータと刃ブロックとの組立体であり、（ａ）は正面図、（ｂ）は斜視図である。
【図５】本発明の第２実施形態に係るヘアカッターであり、（ａ）は横断面図、（ｂ）は振動型リニアアクチュエータと刃ブロックとの組立体との側面図である。
【図６】従来のヘアカッターの振動型リニアアクチュエータと刃ブロックとの組立体であり、（ａ）は正面図、（ｂ）は斜視図である。
【図７】従来のヘアカッターの横断面図である。
【符号の説明】
【００３９】
１０Ａ，１０Ｂ  ヘアカッター
１３    振動型リニアアクチュエータ
１８    可動子
２８    刃ブロック
２９    固定刃
３０    可動刃
３１    バネ部材
３３    可動ブロック
Ｆ      往復振動
【図１】
2007190312.tif 000003
【図２】
2007190312.tif 000004
【図３】
2007190312.tif 000005
【図４】
2007190312.tif 000006
【図５】
2007190312.tif 000007
【図６】
2007190312.tif 000008
【図７】
2007190312.tif 000009